(57)【特許請求の範囲】
【請求項１】
アイロン台のアイロン作用面を、床面に対して水平にする使用状態にしてアイロン掛けを行い、前記アイロン作用面を床面に対する垂直にして収納状態にするための自立型アイロン台であって、
前記アイロン台は、前記アイロン作用面の長手方向に沿うように形成されるとともに、その両端を前記アイロン作用面の裏面に夫々固定したフレーム基部と、
前記フレーム基部の長手方向に沿う中央部位から片支持状態で固定される片支持部材と、
前記裏面から直角に延びるように前記片支持部材に固定される第１被支持部と、
前記裏面に対して平行に延びるように前記片支持部材に固定される第２被支持部と、を備え、
前記アイロン台を支持するために床面上に設置される基台は、
少なくとも前記アイロン作用面の長手方向に沿う距離の半分の高さで前記基台から垂直方向に固定される支柱と、
前記第１被支持部または前記第２被支持部を挿通後に前記アイロン作用面を回転不能に支持する挿通支持部を固定するとともに、前記使用状態において前記アイロン作用面を任意の高さ位置で保持するように前記支柱に設けられる上下移動手段と、
アイロンを置くための載置面を有するとともに、前記支柱に設けられるアイロン置き台と、を備えることを特徴とする自立型アイロン台。
【請求項２】
前記挿通支持部は、前記第１被支持部または前記第２被支持部を挿通するときに、指の挿通を防止するための形状部材を備えることを特徴とする請求項１に記載の自立型アイロン台。
【請求項３】
前記第１被支持部、および前記第２被支持部はその横断面形状が正方形の第１角パイプから形成され、前記挿通支持部は前記第１角パイプを挿通する角穴部を有する第２角パイプから形成され、
前記形状部材を前記角穴部の開口部に向かう付勢状態で保持するとともに、
前記挿通後に前記第１被支持部を固定するための固定用ノブを前記第２角パイプに設けたことを特徴とする請求項２に記載の自立型アイロン台。
【請求項４】
前記第１被支持部および前記第２被支持部は横断面形状が正方形の開口部を有した第３角パイプから形成され、前記挿通支持部は前記開口部を挿通する正方形の４面を有する第４角パイプから形成され、
前記形状部材を前記第４角パイプの端面に設け、さらに前記挿通後に前記第１被支持部を固定するための固定用ノブを前記第３角パイプに設けたことを特徴とする請求項２に記載の自立型アイロン台。
【発明の詳細な説明】
【技術分野】
【０００１】
本発明は、自立型アイロン台に係り、特に高さ調整可能なアイロン台とアイロン台に併設して使用されるアイロン置き台を設けた自立型アイロン台に関するものである。
【背景技術】
【０００２】
本願出願人は、２次曲面部分をアイロン作用面とすることで通常のアイロン台として用できるとともに、衣類、帽子、下着などの３次元曲面部分の形状を損なうことなくアイロン掛けできるようにするために、アイロン作用面から連続形成される頭部を３次元曲面で形成した人体型アイロン台を提案している。
【０００３】
この人体型アイロン台には高さ調整が可能な折りたたみ式の脚部が設けられており、使用時に使用者が椅子などに着座した状態でアイロン掛けを行うために最適となる高さ位置にセットできるように構成されている。また、未使用時にはこの脚部を折りたたんだ状態にして、例えば壁面に寄りかかるように立てかけることで、占有面積を極力少なくした状態で収納状態にできるように構成されている。さらに、アイロン台の基部を樹脂ブロー成型品とすることにより軽量化を図ることで、非力な女性でも簡単にセットできるように配慮されている（特許文献１）。
【０００４】
また、高熱になったアイロンは、所望の高さ位置にセットされたアイロン作用面の高さに略等しいテーブル上に置くなどして使用するようにしている。
【０００５】
一方、アイロン掛けが終了後の衣類は、型崩れを防止するためにハンガーに掛けてから箪笥などに収めることになるが、その前に一時的に和室の鴨居、壁面に固定されたフックまたはカーテンレールなどに掛ける場合が多い。また、近年の工法による一戸立て住宅または集合住宅あるいは高層マンションによれば、耐火壁で囲まれる洋室を設ける場合が圧倒的に多く、しかも椅子を使用した生活に変化している。しかし、新築住宅などの場合には耐火壁にフックを固定することは、電動ドリル加工で壁に孔を明けざるを得ないので躊躇われる。また、マンションなどの場合には隣人への騒音が問題になる。  
そこで、自立型ハンガーを使用すればアイロン掛け後の衣類をハンガーに掛けてから一時的または恒久的に吊るしておくことができる。このような自立型ハンガーとして、衣類支持部材を支柱周りに回転可能に設けることで、使用時の利便性を向上させた構成の装置についても提案されている（特許文献２）。
【０００６】
さらに、腰痛治療のためなどに使用されるぶら下り健康具は、大人の体重を支えるための十分な強度を備えている。しかしながら、購入後に直に飽きられてしまい、多くの家庭において衣類用の自立型ハンガーとして使用されているのが実情である。
【特許文献１】特開２００４−２３６８２３号公報。
【特許文献２】特開平７−０５１１５１号公報。
【発明の開示】
【発明が解決しようとする課題】
【０００７】
例えば、上記の特許文献１の提案による人体型アイロン台によれば、使用者の身長にあわせてアイロン作用面の高さ位置を約６１０〜８５０ｃｍの範囲で所望の高さ位置に調整できるように構成されている。このため、使用者がダイニングキッチンの椅子などに腰掛けてアイロンかけ作業を行うための最適な高さ位置にセットできる。
【０００８】
しかしながら、上記のようにアイロン台のアイロン作用面を所望の高さ位置で略水平にするための使用状態にセットし、衣類などへのアイロンかけ作業後に、床面に対して略垂直に立てかけておくための収納状態にする作業は、以外に面倒になる場合がある。
【０００９】
また、椅子などに腰掛けてアイロンかけ作業を行う最適な高さ位置にセットできても、加熱されたアイロンを一時的に置くためのテーブルなどが必要となる。この結果、アイロン台の使用場所はダイニングテーブルなどの傍にならざるを得ない。
【００１０】
さらに、衣類の袋状部分などを挿入してアイロンがけを行うために使用される「袖マン」とも呼ばれる小型アイロン台は、アイロン作用面を片支持状態にする略コの字状の脚部を設けているが、この小型アイロン台についてもテーブルなどが必要となる。
【００１１】
一方、アイロンかけ終了後の衣類を、上記の自立型ハンガーなどを使用して恒久的に掛けておけば、着用時に簡単に取り外すことができるので便利となる。
【００１２】
さらに、上記のぶら下り健康具とアイロン台とを複合化することで利用範囲を大きく拡張することができる。
【００１３】
したがって、本発明は上記の問題点に鑑みて成されたものであり、アイロン台のアイロン作用面を任意の高さ位置で水平にする使用状態と、床面に対して略垂直に立てかけておくための収納状態にする作業を簡単に行うことができ、かつ加熱されたアイロンを一時的に置くためのテーブルなどを不要にして、使用場所の制限を受けることのない自立型アイロン台の提供を目的としている。
【００１４】
また、加えて衣類の袋状部分などを挿入してアイロンがけを行うために片支持されたアイロン作用面を備える小型アイロン台を簡単に使用でき、さらに衣類をハンガーなどに簡単に掛けることのできる自立型アイロン台の提供を目的としている。
【００１５】
また、ぶら下り健康具とアイロン台とを複合化することで利用範囲を大きく拡張することができる自立型アイロン台の提供を目的としている。
【００１６】
そして、簡単かつ安価に製造できる自立型アイロン台の提供を目的としている。
【課題を解決するための手段】
【００３１】
上述した課題を解決し、目的を達成するために、本発明によれば、アイロン台のアイロン作用面を、床面に対して水平にする使用状態にしてアイロン掛けを行い、前記アイロン作用面を床面に対する垂直にして収納状態にするための自立型アイロン台であって、前記アイロン台は、前記アイロン作用面の長手方向に沿うように形成されるとともに、その両端を前記アイロン作用面の裏面において夫々固定したフレーム基部と、前記フレーム基部の長手方向に沿う中央部位から片支持状態で固定される片支持部材と、前記裏面から直角に延びるように前記片支持部材に固定される第１被支持部と、前記裏面に対して平行に延びるように前記片支持部材に固定される第２被支持部と、を備え、前記アイロン台を支持するために床面上に設置される基台は、少なくとも前記アイロン作用面の長手方向に沿う距離の半分の高さで前記基台から垂直方向に固定される支柱と、前記第１被支持部または前記第２被支持部を挿通後に前記アイロン作用面を回転不能に支持する挿通支持部を固定するとともに、前記使用状態において前記アイロン作用面を任意の高さ位置で保持するように前記支柱に設けられる上下移動手段と、アイロンを置くための載置面を有するとともに、前記支柱に設けられるアイロン置き台と、を備えることを特徴としている。
【００３２】
また、前記挿通支持部は、前記第１被支持部または前記第２被支持部を挿通するときに、指の挿通を防止するための形状部材を備えることを特徴としている。
【００３３】
また、前記第１被支持部、および前記第２被支持部はその横断面形状が正方形の第１角パイプから形成され、前記挿通支持部は前記第１角パイプを挿通する角穴部を有する第２角パイプから形成され、前記形状部材を前記角穴部の開口部に向かう付勢状態で保持するとともに、前記挿通後に前記第１被支持部を固定するための固定用ノブを前記第２角パイプに設けたことを特徴としている。
【００３４】
そして、前記第１被支持部および前記第２被支持部は横断面形状が正方形の開口部を有した第３角パイプから形成され、前記挿通支持部は前記開口部を挿通する正方形の４面を有する第４角パイプから形成され、前記形状部材を前記第４角パイプの端面に設け、さらに前記挿通後に前記第１被支持部を固定するための固定用ノブを前記第３角パイプに設けたことを特徴としている。
【発明の効果】
【００３５】
本発明の自立型アイロン台によれば、アイロン台のアイロン作用面を任意の高さ位置で水平にしてアイロン掛けを行うための使用状態と、床面に対して垂直に立てかけておくための収納状態にする作業を簡単に行うことができ、かつ加熱したアイロンを随時置くことで、加熱したアイロンを一時的に置くためのテーブルなどを不要にできるので、アイロン掛けに必要な作業を自立型アイロン台単体で行うことが可能となる。
【００３６】
また、衣類の袋状部分などを挿入してアイロンがけを行う小型アイロン台を簡単な操作で使用することができ、さらに衣類を随時掛けることができる。
【００３８】
そして、自立型アイロン台を簡単かつ安価に製造することができる。
【発明を実施するための最良の形態】
【００３９】
以下に、本発明の好適な各実施形態について添付の各図面を参照して述べる。
【００４０】
ここで、本発明は様々な修正と変更が可能であり、その内の特定の事例が図面に図示されており、以下に詳細に記述されることになるが、これらに限定されず請求の範囲に規定された範囲で種々の構成が可能であることは言うまでもなく、さらに後述する人体型アイロン台以外の形状のアイロン台にも適用可能である。
【００４１】
先ず、図１は本発明の第１の実施形態である自立型アイロン台１を使用状態にセットするとともに、アイロン台２０の一部を破断して示した外観斜視図である。
【００４２】
本図において、自立型アイロン台１の概略構成はアイロン台のアイロン作用面を、略水平にする使用状態と床面Ｆに対して略垂直にする収納状態とにすることができるものであり、室内に配置することで簡単にアイロンかけを行うことができるものである。
【００４３】
また、床面Ｆ上に設置される基台２は金属材料を含む十分な重量を有する材料から形成されており、この基台２から略垂直方向に支柱３、４が固定されており、支柱４の上方において略半円形状の衣類支持部材８が支柱の同じ側に横部材７を介して固定されており、壁面Ｗに対して隙間なく設置できるように構成されているので、占有面積を最小にできる利点がある。
【００４４】
一方、鉄パイプなどを曲げ加工した衣類支持部材８は、使用者が起立して衣類を掛ける高さ位置において図示のように複数のハンガーＫを吊り下げることができるとともに、外側にカーテン１５、１５のフック１６、１６を案内するための別棒部材９をさらに設けている。このために、略４５度の傾斜角度で３本の補強部材１１、１１、１１が横部材７と、衣類支持部材８との間に固定されており、荷重を支えるように構成されている。これらの衣類支持部材８とカーテン用の別棒部材９は、オプションとして設けられ、この場合には支柱４の高さ寸法はアイロン置き台５までの高さに設定されることになる。
【００４５】
この支柱４の下方には、加熱されたアイロン１０を置くための載置面を有するとともに、支柱４に対して片支持状態にされるアイロン置き台５が設けられている。
【００４６】
また、支柱４を挟んだアイロン置き台５の反対側には、衣類の袋状部分などを挿入してアイロンがけを行うために支柱４に対して片支持状態にされる小型アイロン台６がさらに設けられている。この小型アイロン台６もオプションとして設けることができる。
【００４７】
この小型アイロン台６は業界で「袖マン」と呼ばれるものであり、子供用ズボンなどを挿通させることで布一枚分厚さのアイロンをかけることができる。すなわち、カバーとフェルトと基部とを設けており、さらに図示のように手前側に傾斜面を一体形成していることから、衣類の微妙な曲面に沿うようにアイロンかけを行うことができるように構成されている。
【００４８】
従来は、この小型アイロン台はアイロン作用面を片支持状態にするための略コの字状の脚部を設けていたが、この小型アイロン台６によれば図示のように支柱４に片支持されているので脚部が一切不要となる。また、アイロン置き台５と小型アイロン台６を、後述するように支柱４周りに回転自在に設ける場合には、図示の状態から適宜手前側に移動してアイロンかけを行い易い位置でアイロンかけ作業を行うことができる。
【００４９】
一方、アイロン台２０を回動可能かつ上下方向に移動可能に支持するとともに、図示の使用状態においてアイロン作用面を所望の高さ位置で保持する上下移動手段である上下移動機構３０（破線図示）が、支柱３に設けられている。
【００５０】
アイロン台２０の構成には木製、金属メッシュ製、桐おがくずを圧縮したパーチクルボード製などの種々のもの、また矩形の扁平形状のものも採用可能あるが、本図において、アイロン台２０は本願出願人による人体型アイロン台であって、２次曲面部分をアイロン作用面とするために無数の凸部を形成するように所定樹脂材料をブロー成型した基部２１を備えており、この基部２１の上にフェルト２２とカバー２３を被せることでカバー面をアイロン作用面として使用できるように構成されている。
【００５１】
また、この基部２１は、３次元曲面部分を有する頭部２０ａと、３次元曲面部分を有する腰部２０ｂとを図示のようにアイロン作用面からさらに連続形成すると良く、これらの頭部２０ａと底部２０ｂを使用して衣類、帽子、下着、ズボンの腰部分などの３次元形状を損なうことなくアイロンかけを行えることになる。
【００５２】
このアイロン台２０の下方には基部２に固定されるとともに複数の係止溝部を形成した係止部材１３に対して係止されるとともにアイロン作用面の裏側に向けて折りたたみ可能な脚部材１２が設けられており、図示の使用状態においてアイロン使用時の荷重を上記の上下移動機構３０とともに分散して支えるように構成されている。
【００５３】
以上のように構成される自立型アイロン台１を部屋の済みに配置しておき、図示のようにカーテン１５、１５を左右に開き、アイロン台２０を所望の高さ位置にセットし、使用者が椅子に腰掛け、洗濯後の衣類へのアイロンかけ作業を行い、アイロンかけ後のワイシャツなどをハンガーＫにかけた後に衣類支持部材８に吊るしておくことができる。
【００５４】
そして、アイロンかけ終了後にアイロン台２０を後述する収納状態にしてから、カーテン１５、１５を閉じる。以上のように使用することでいつでもアイロンかけ後の衣類を取り出して着用でき、しかも部屋の美観を損なうことがなくなる。
【００５５】
次に、図２は自立型アイロン台１の上下移動機構３０の断面図である。また、図３は図２の上下移動機構３０のＸ−Ｘ線矢視断面図である。
【００５６】
図２、図３において、既に説明済みの構成部品については同様の符号を附して説明を割愛すると、この上下移動機構３０は、図示のように支柱３の側面において高さ位置を違えて穿設された複数の孔部３ａに対して潜入するピン４０を使用している。
【００５７】
支柱３は、例えば一辺が１０ｃｍの鉄角パイプ製であり、その側面において複数の孔部３ａが上下方向に穿設されており、これらの孔部３ａにピン４０を挿入することでアイロン台２０の作用面となるカバー２３の最高位置が６１０、６８０、７３０、７８０、８２０、８５０ｃｍの高さ位置に調整できるようにしている。
【００５８】
この支柱３を取り囲むようにして鉄板製の上下移動部材３１が設けられている。この上下移動部材３１は、図示のように支柱３の前後方向の隙間部分にナイロン樹脂製などのスライダー３２、３２を介在させており、また左右方向にはほとんど隙間を設けていないので、上下方向には軽い力で移動でき、左右方向には動かないように構成されている。
【００５９】
この上下移動部材３１の左側面には取付け部材３３がスポット溶接されており、この取付け部材２２には長い全長のピアノ兆番などの兆番３４の一辺が固定されている。また、兆番３４の他片はアイロン台２０の基部２１の底面に固定されており、アイロン台２０を矢印Ｄ方向に回動できるようにしている。
【００６０】
この上下移動部材３１の右側面の上端からは把持部３１ａが曲げ加工されており、この把持部３１ａの下方には図３で破線で示した軸受３１ｂ、３１ｂで軸支された軸支部材３５より軸支されたレバー部材３６が回動自在に設けられている。このレバー部材３６の先端はピン４０の溝部４０ａに潜入している。金属製のピン４０は、先端が孔部３ａに入る形状を備えており、その後端を圧縮コイルバネ４２で常時押すように上下移動部材３１に固定されたホルダー４１の内部に内蔵されている。
【００６１】
以上の構成によれば、レバー部材３６を実線図示の位置から破線図示の位置に把持して移動することでピン４０が孔部３ａから外れるので、所望の高さ位置に移動し、レバー部材３６を再び実線図示の位置に戻すことで上記の６１０、６８０、７３０、７８０、８２０、８５０ｃｍの内の一つの高さにセットすることができる。また、アイロン台２０が左右にガタつくことも隙間を埋めるスライダー３２、３２で防止できる。
【００６２】
なお、以上の構成以外にもラチェット機構、ラックアンドピ二オン機構、ガスダンパー昇降機構、ボールネジタイプなど種々の形式を採用できることは言うまでもない。すなわち、アイロン作用面を所望の高さ位置で保持するために支柱３に対して上下方向に相対移動可能であり、かつ所望の高さ位置で固定することのできる構成の上下移動機構３０であればその形式は問わない。例えば上下方向を回転軸として回転駆動されるボールネジを支柱３の内部に内蔵しておき、このボールネジに螺合するナットを上下移動部材３１に固定することで、正逆方向のモータ駆動にともないボールネジを回転駆動させて上下駆動させる電動昇降式としても良い。
【００６３】
この後に、図４の自立型アイロン台１の要部を示した右側面図において、椅子などへの着座姿勢で使用するためにアイロン台２０の底面手前側の回動軸支部２５（手前側のみ図示）で軸支されている脚部材１２（破線図示）を係止部材１３の各溝部１３ａ、１３ｂ、１３ｃの一つにセットする。以上で、使用者の身長（座高）の大小に関係なく最適な高さ位置調整できることになる。
【００６４】
また、アイロンかけ後に収納状態にするためには、上下移動機構３０を最上位置まで移動し、脚部材１２を内側に回動させ、アイロン台２０の裏面に固定されているホルダー１８にセットすることで実線図示の収納状態にすることができる。
【００６５】
また、図４によれば、上記の小型アイロン台６は手前側に位置されており、衣類Ｃの袖部分を挿入してアイロン１０でアイロンかけする様子が示されている。
【００６６】
このように小型アイロン台６を支柱４に対して回転可能に設ける構成は、アイロン置き台５を支柱４に対して回転可能に設けるアイロン支持部の構成と略同様である。
【００６７】
そこで、図５（ａ）のアイロン置き台５の外観斜視図、図５（ｂ）の支柱にアイロン置き台を固定した後の様子を示した要部断面図を参照して代表して各支持部の構成について述べると、アイロン置き台５が支柱４に対して回転可能に設けられている。
【００６８】
このアイロン置き台５には、支柱４に挿通されるブッシュ５２が溶接などで固定されており、このブッシュ５２とアイロン置き台５との間にアイロン１０の重量を支える強度を有するアイロン台支持部５５が形成されている。このブッシュ５２には回転操作されるノブ５６が螺合されており、このノブ５６を緩める方向に回転することでアイロン置き台５を上下方向に移動できるようになり、所望の高さ位置でノブ５６を締め付けることでアイロン置き台５を所望の高さ位置に固定できるように構成されている。
【００６９】
また、このアイロン置き台５のブッシュ５２には雌ネジ孔部５２ａが形成されており、この雌ネジ孔部５２ａに対してノブ５６の雄ネジ部５６ａを螺合することで端部５６ｃが支柱４の溝部４ａに潜入する状態にできる結果、ブッシュ５２は上下方向には移動しないが、回転できるようになる。このため、図４で実線で示した位置でアイロン置き台５を回動できることとなる。また、アイロン置き台５は、小径の鉄パイプ５３を図示のように曲げ加工し、アイロンの載置面となる部分に鉄製の棒部材５４を複数本図示のように固定して完成され、さらに上記のアイロン台支持部材５５によりブッシュ５２の側面に溶接で固定される。ここで、図示の形状によれば、方向性がないのでアイロン１０をいずれの方向からでも載せることが可能になるので、左利きの人でも使用可能となる。
【００７０】
小型アイロン台６のブッシュと支持部材についても上記構成と略同様にすることで部品の共通化を図ることができるのでコストダウンに有効になる。
【００７１】
次に、図６（ａ）は第２の実施形態の自立型アイロン台１の右側面図、図６（ｂ）はアイロン台２０を収納状態にした右側面図である。
【００７２】
本図において、既に説明済みの構成部品については同様の符号を附して説明を割愛すると、上下移動機構３０には、アイロン台２０を所望の高さ位置で保持するために上下移動部材３１において一端が軸支部１１８で軸支され、他端がアイロン台の底面の軸支部１１８で軸支され、かつ中間回動部１１９で２つ折り可能な２つ折り脚部材１１２を備えている。また、上下移動機構３０は、支柱３の側面に固定されたラックに噛合するピ二オンギアをハンドルで矢印方向に回転することで上下移動され、不図示のストッパーにより所望の高さ位置を保持するように構成されている。アイロン台２０はその長手方向に沿う側面の底面で兆番３４により回動可能に支持されている。
【００７３】
一方、衣類支持部材８は、図示のようにその途中部位において下方に向かう１つ以上の凹部８ａが形成された棒部材であり、水平面に対する取り付け角度が約５度から約２０度の範囲で上側に傾斜されて副支柱１４１周りに等間隔で３本以上が固定されている。この副支柱１４１は支柱４に対して回転自在に設けられている。
【００７４】
以上の構成によれば、図６（ａ）において実線図示のアイロン台２０をアイロンかけ後に収納状態にするために、２つ折り脚部材１１２を内側に破線図示のように回動させ、さらに図６(ｂ)に図示のようにアイロン台２０が略垂直になるまで降ろすことで実線図示の収納状態にすることができる。
【００７５】
また、衣類支持部材８は、矢印方向に任意に回転できるのでガウン、コートなどの長い衣類をハンガーＫにかけてから吊るしてから後ろ側に移動できるのでアイロンかけの邪魔にならないようにできる。
【００７６】
なお、上記の各アイロン台は使用者から見て奥側で支柱に対して回動自在に兆番３４で軸支されているので、この部分に衣類が滞ることから、支柱３から離して回動自在に支持すると良い。また、頭部２０ａが左右いずれかに向くので左利きと右利き用を準備すると良い。さらにカーテン１５、１５を設けたので未使用時に全てを隠すことが可能であるが天井部分を設けるとさらに良い。
【００７７】
最後に、図７は、ぶら下り健康具を複合化した様子を示した自立型アイロン台１の第３の実施形態の外観斜視図である。
【００７８】
本図において、既に説明済みの構成部品については同様の符号を附して説明を割愛すると、アイロン台２０は頭部２０ａと対向する側面２０ｂの底面で回動可能かつ上下移動可能に支持されている。また、脚部材１２は、基台２、２に夫々形成された係止部材１３に対して図示のように係止するように回動軸支されている。
【００７９】
一方、支柱３、３からは支柱８０、８０が垂設および固定されており支柱８０の一方に対して回転可能にアイロン置き台５が設けられており、支柱８０の他方に対して片支持状態で回転可能に小型アイロン台６が設けられている。
【００８０】
そして、支柱８０、８０の上端からは、使用者がぶら下り可能な高さ位置で各支柱の間に横梁部材８０ａが掛け渡されている。
【００８１】
以上の構成によれば、アイロン台２０を実線図示の使用状態から破線図示の途中状態を経て二点鎖線図示の収納状態にすることができる。この収納状態において、使用者はぶら下り健康具として使用することができる。
【００８２】
以上の自立型アイロン台１によれば、部屋の美観を損なうことなく配置できることとなるので、高級家具として使用可能となる。
【００８３】
図８は本発明の第４の実施形態である自立型アイロン台１を収納状態にセットし、右側方から見た外観斜視図である。本図において、既に説明済みの構成または部品については同様の符号を附して説明を割愛すると、床面上に設置される基台２は、２本の丸鉄パイプ２０１、２０２を図示のような山形状に曲げ加工し、６角形の部分で図示のように重ねてから８箇所を溶接する。この後に、横パイプ２０３を６角形の内部にセットしてから図示のように溶接する。
【００８４】
この横パイプ２０３の長手方向の中心からは垂直方向に支柱３が溶接で固定される。また、この支柱３の途中部位と６角形の部分との間には４本の補強部材２０４が溶接されており、支柱３の強度を確保することで、支柱３の倒れ防止を図っている。
【００８５】
さらにまた、２本の丸鉄パイプ２０１、２０２の先端にはグロメット２１９が夫々被せられており、ストッパー付きの移動用キャスタ２２０が図示のように夫々固定される。以上の構成により室内で簡単に移動できるようにしている。また、アイロン掛けを行うときには、移動用キャスタ２２０のストッパーを足先などで押圧操作して停止状態にできるように構成されている。
【００８６】
この支柱３からは支柱４が、さらに上方に向けて着脱自在に設けられており、鉄パイプなどを曲げ加工した衣類支持部材８を図示のように支柱４の先端に設けることで、使用者が起立して衣類を掛ける高さ位置で図示のようにハンガーＫを吊り下げることができるようにしている。
【００８７】
この支柱４の中間部位には、衣類の袋状部分などを挿入してアイロンがけを行うために支柱４に対して片支持状態にされる小型アイロン台６がさらに設けられている。また、加熱されたアイロンを置くための載置面を有するとともに、支柱４に対して片支持状態にされるアイロン置き台５がさらに下方に設けられている。これらはノブ５６の操作で任意の高さ位置に固定できるように構成されている。
【００８８】
一方、アイロン台２０を上下方向に移動可能に支持するとともに、図示の収納状態においてアイロン作用面２３が床面に対して垂直となる所望の高さ位置で保持する上下移動手段である上下移動機構３００が支柱３に設けられている。この上下移動機構３００は、ノブ５６の操作で支柱３の任意の高さ位置に固定できるように構成されている。すなわち、ノブ５６を緩めてから、上下方向に移動し、図示のようにアイロン台２０を起立状態で保持できる位置にした後に、ノブ５６を締め付けることで図示の位置に固定されるように構成されている。
【００８９】
また、アイロン台２０はそのアイロン作用面となるカバー２３を、床面に対して水平にする使用状態にしてアイロン掛けを行い、カバー２３が図示のように床面に対して垂直になるようにして収納できるようにしている。
【００９０】
図９は、アイロン台２０を裏面２３ａ側から見た外観斜視図である。図８に図９をさらに参照して、このアイロン台２０は、鉄パイプ製のフレーム基部２１０を裏面においてネジ止めして固定している。このフレーム基部２１０はアイロン作用面となるカバー２３の長手方向に沿うように形成されるとともに、図示のように両端が曲げ加工されており、取り付け端部２１２、２１３をその両端に溶接している。
【００９１】
また、このフレーム基部２１０の長手方向に沿う中央部位からは角パイプ製の片支持部材２１４が溶接されて固定されている。この片支持部材２１４は２本の補強部材２１５をフレーム基部２１０との間に溶接することで補強されており、アイロン掛け時に加わる荷重を支持できるようにしている。
【００９２】
この片支持部材２１４の端部にはアイロン台の裏面２０ｂに対して垂直となる第１被支持部２１６が溶接されて固定されている。また、この片支持部材２１４の途中には裏面２０ｂに対して平行に延びるように第２被支持部２１７が溶接されて固定されている。
【００９３】
一方、アイロン台２０を支持するために床面上に設置される支柱３は、少なくともアイロン台２０の長手方向に沿う距離の半分の高さとなるように基台２から垂直方向に固定されている。また、上記の上下移動機構３００は図示のように上方に設けられている。この機構３００には第１、第２被支持部２１６、２１７を挿通後にアイロン台２０を回転不能に支持する挿通支持部が設けられている。すなわち、図８は第２被支持部２１７を挿通支持部にセットした状態を図示している。
【００９４】
図１０は、上下移動機構３００にセットされるアイロン台２０を二点鎖線で図示した動作説明のための外観斜視図である。本図において、既に説明済みの構成または部品については同様の符号を附して説明を割愛する。上下移動機構３００は、支柱３にセットされるとともにノブ５６を設けた丸パイプ３１０と、第２角パイプ３１１から構成される挿通支持部を図示のように丸パイプ３１０の側面に溶接して固定して構成されている。
【００９５】
この挿通支持部は第１被支持部２１６または第２被支持部２１７を挿通するときに、指の挿通を防止することで怪我などを防ぐための図示のような帽子状体の形状部材３１２が破線図示の棒部材により倒れ防止されて内蔵されている。また、第１被支持部２１６および第２被支持部２１７はその横断面形状が正方形の第１角パイプ３１１から形成される一方で挿通支持部はこの第１角パイプ３１１を挿通する角穴部３１１ａを有する第２角パイプ２１６ａ、２１７ａから形成されている。そして形状部材３１２を角穴部３１１ａの開口部に向かう付勢状態で保持するための破線図示の圧縮コイルバネ３１３を図示のように内蔵することで形状部材３１２の先端がストッパー３１３から突出するようにして指先が内部に入ることを防止している。
【００９６】
このためアイロン台２０のセット時における思わぬ事故が防止できる。また、第１被支持部２１６および第２被支持部２１７の挿通後には形状部材３１２は下方に移動される。さらに第１被支持部２１６を固定することでアイロン台２０を不動状態にするための固定用ノブ５６を第２角パイプから構成されている。
【００９７】
図１１は上下移動機構３００の別構成例を図示した外観斜視図である。本図において、既に説明済みの構成または部品については同様の符号を附して説明を割愛する。上下移動機構３００は、支柱３にセットされるとともにノブ５６を設けた丸パイプ３１０と、形状部材４１２をその端面に固定し丸パイプ３１０に溶接で固定される第４角パイプ４１１とから構成されている。また、第１被支持部２１６、第２被支持部２１７は横断面形状が正方形の開口部を有した第３角パイプから形成されており、第１被支持部２１６、第２被支持部２１７を図示のように挿通後に第１被支持部２１６を第４角パイプ４１１に対して固定するための固定用ノブ５６を図示のように設けている。
【００９８】
以上の構成によれば、第１被支持部２１６と第４角パイプに角パイプを用いることでアイロン台２０の回転防止を図ることができるとともに簡単かつ安価に製造できる自立型アイロン台を提供できる。なお、これ以外にも種々の構成を採用できることは言うまでもなく、例えば４角パイプに代えて６角パイプも使用できる。
【図面の簡単な説明】
【００９９】
【図１】本発明の第１の実施形態である自立型アイロン台１を使用状態にするとともに、アイロン台２０の一部を破断して示した外観斜視図である。
【図２】自立型アイロン台１の上下移動機構３０の断面図である。
【図３】図２の上下移動機構３０のＸ−Ｘ線矢視断面図である。
【図４】自立型アイロン台１の要部を示した右側面図である。
【図５】（ａ）はアイロン置き台５の外観斜視図、（ｂ）は支柱にアイロン置き台を固定した後の様子を示した要部断面図である。
【図６】（ａ）は第２の実施形態の自立型アイロン台１の右側面図、（ｂ）はアイロン台２０を収納状態にした右側面図である。
【図７】ぶら下り健康具を複合化した様子を示した自立型アイロン台１の第３の実施形態の外観斜視図である。
【図８】本発明の第４の実施形態である自立型アイロン台１を収納状態にセットし、右側方から見た外観斜視図である。
【図９】アイロン台２０を裏面側から見た外観斜視図である。
【図１０】上下移動機構３００にセットされるアイロン台２０を二点鎖線で図示した動作説明のための外観斜視図である。
【図１１】上下移動機構３００の別構成例を図示した外観斜視図である。
【符号の説明】
【０１００】
１ 自立型アイロン台
２  基台
３  支柱
４  副支柱
５  アイロン置き台
６  小型アイロン台
７  棒部材
８  衣類支持部材
９  カーテン支持用棒部材
１０  アイロン
１１  補強部材
１２  脚部材
１３  係止部材
１５  カーテン
１６  カーテンリング
１８  ホルダー
２０  アイロン台
２０ａ  頭部
２０ｂ  腰部
２１  基部
２２  フェルト
２３  カバー（アイロン作用面）
３０  上下移動機構
３１  上下移動部材
３２  スライダー
３３  取付け部材
３４  兆番
３５  軸支部材
３６  レバー部材
４０  ピン
４１  ピンホルダー
４２  圧縮バネ
８０  支柱
８０ａ  横梁部材
２１０  フレーム基部
２１４  片支持部材
２１６  第１被支持部
２１７  第２被支持部
【図１】
0004551388.tif 000002
【図２】
0004551388.tif 000003
【図３】
0004551388.tif 000004
【図４】
0004551388.tif 000005
【図５】
0004551388.tif 000006
【図６】
0004551388.tif 000007
【図７】
0004551388.tif 000008
【図８】
0004551388.tif 000009
【図９】
0004551388.tif 000010
【図１０】
0004551388.tif 000011
【図１１】
0004551388.tif 000012